(57)【要約】【課題】差出人に関する情報の更新を、適切に宛先に関する情報に反映させることができる宛先管理システムを提供する。【解決手段】１以上の第一ユーザ端末１１と、１以上の第二ユーザ端末１２とを備えた宛先管理システム１であって、第一ユーザ端末１１は、差出人に関する情報である差出人情報を更新する指示である更新指示を、第一ユーザ端末１１を利用する第一のユーザから受け付ける更新指示受付部１１１と、更新指示受付部１１１が受け付けた更新指示を送信する更新指示送信部１１２とを備え、第二ユーザ端末１２は、宛先に関する情報である１以上の宛先情報が格納される宛先情報格納部１２１と、第一ユーザ端末１１が送信した更新指示を受信する更新指示受信部１２２と、更新指示受信部１２２が受信した更新指示に応じて、宛先情報格納部１２１に格納されている宛先情報を更新する更新部１２３とを備えた。【選択図】図１
2015069260.tif 000002
【特許請求の範囲】
【請求項１】
１以上の第一ユーザ端末と、１以上の第二ユーザ端末とを備えた宛先管理システムであって、
前記第一ユーザ端末は、
差出人に関する情報である差出人情報を更新する指示である更新指示を受け付ける更新指示受付部と、
前記更新指示受付部が受け付けた更新指示を送信する更新指示送信部とを備え、
前記第二ユーザ端末は、
宛先に関する情報である１以上の宛先情報が格納される宛先情報格納部と、
前記第一ユーザ端末が送信した更新指示を受信する更新指示受信部と、
前記更新指示受信部が受信した更新指示に応じて、前記宛先情報格納部に格納されている宛先情報を更新する更新部とを備えた宛先管理システム。
【請求項２】
前記差出人情報は、当該差出人情報を識別する情報である差出人情報識別情報と対応付けられており、
前記宛先情報は、当該宛先情報に対応する差出人情報に対応付けられた差出人情報識別情報を有している請求項１記載の宛先管理システム。
【請求項３】
前記更新指示送信部は、更新指示を、当該更新指示により更新される差出人情報と対応付けられた差出人情報識別情報と対応付けて送信し、
前記更新指示受信部は、差出人情報識別情報と対応付けられた更新指示を受信し、
前記更新部は、当該更新指示受信部が受信した更新指示と対応付けられた差出人情報識別情報と一致する差出人情報識別情報を有する宛先情報を更新する請求項２記載の宛先管理システム。
【請求項４】
前記宛先情報の少なくとも一部は、当該宛先情報に対応するユーザにはがきを郵送する際の、宛先に利用可能な情報である請求項１から請求項３いずれか一項記載の宛先管理システム。
【請求項５】
前記宛先管理システムは、サーバ装置を更に備え、
前記サーバ装置は、
前記第一ユーザ端末から更新指示を受信するサーバ受信部と、
前記更新指示格納部に格納されている更新指示を、前記第二ユーザ端末に送信するサーバ送信部とを備えた請求項１から請求項４いずれか一項記載の宛先管理システム。
【請求項６】
前記第二ユーザ端末は、
予め指定されたタイミングに、更新指示の送信を要求する情報である要求情報を前記サーバ装置に送信する要求情報送信部を、更に備え、
前記サーバ装置は、
前記更新指示が格納される更新指示格納部と、
前記サーバ受信部が受信した更新指示を、前記更新指示格納部に蓄積する更新指示蓄積部と、
前記第二ユーザ端末から要求情報を受信する要求情報受信部とを、更に備え、
前記サーバ送信部は、前記要求情報受信部が要求情報を受信した場合に、当該要求情報の送信元となる前記第二ユーザ端末に、前記更新指示格納部に格納された更新指示を送信する請求項５記載の宛先管理システム。
【請求項７】
前記サーバ送信部は、前記サーバ受信部が更新指示を受信した場合に、当該更新指示を第二ユーザ端末に送信する請求項５記載の宛先管理システム。
【請求項８】
前記第二ユーザ端末は、
差出人情報の更新内容と、当該更新内容に関連した情報である更新関連情報とを有する１以上の更新関連管理情報が格納される更新関連管理情報格納部と、
前記更新指示受信部が受信した更新指示が示す差出人情報の更新内容に対応した更新関連情報を、前記更新関連管理情報から取得し、当該取得した更新関連情報を出力する更新関連情報出力部とを備えた請求項１から請求項７いずれか一項記載の宛先管理システム。
【請求項９】
差出人に関する情報である差出人情報を更新する指示である更新指示を受け付ける更新指示受付部と、
前記更新指示受付部が受け付けた更新指示を送信する更新指示送信部とを備えた第一ユーザ端末。
【請求項１０】
宛先に関する情報である１以上の宛先情報が格納される宛先情報格納部と、
差出人に関する情報である差出人情報を更新する指示である更新指示を受信する更新指示受信部と、
前記更新指示受信部が受信した更新指示に応じて、前記宛先情報格納部に格納されている宛先情報を更新する更新部とを備えた第二ユーザ端末。
【請求項１１】
差出人に関する情報である差出人情報を更新する指示である更新指示を、第一ユーザ端末から受信するサーバ受信部と、
前記更新指示格納部に格納されている更新指示を、第二ユーザ端末に送信するサーバ送信部とを備えたサーバ装置。
【請求項１２】
差出人に関する情報である差出人情報が格納される差出人情報格納部と、
差出人情報を更新する指示である更新指示を受け付ける更新指示受付部と、
前記更新指示受付部が受け付けた更新指示を送信する更新指示送信部と、
前記更新指示受付部が受け付けた更新指示に応じて、前記差出人情報格納部に格納されている差出人情報を更新する差出人情報更新部と、
宛先に関する情報である１以上の宛先情報が格納される宛先情報格納部と、
更新指示を受信する更新指示受信部と、
前記更新指示受信部が受信した更新指示に応じて、前記宛先情報格納部に格納されている宛先情報を更新する更新部と、
前記宛先情報格納部に格納されている一の宛先情報と、前記差出人情報格納部に格納されている差出人情報との一以上の組を、はがきに出力する出力部とを備えた端末装置。
【請求項１３】
宛先に関する情報である１以上の宛先情報が格納される宛先情報格納部と、更新指示受信部と、更新部とを用いて行われる宛先管理方法であって、
前記更新指示受信部が、差出人に関する情報である差出人情報を更新する指示である更新指示を受信する更新指示受信ステップと、
前記更新部が、前記更新指示受信ステップで受信した更新指示に応じて、前記宛先情報格納部に格納されている宛先情報を更新する更新ステップとを備えた宛先管理方法。
【請求項１４】
宛先に関する情報である１以上の宛先情報が格納される宛先情報格納部にアクセス可能なコンピュータを、
差出人に関する情報である差出人情報を更新する指示である更新指示を受信する更新指示受信部と、
前記更新指示受信部が受信した更新指示に応じて、前記宛先情報格納部に格納されている宛先情報を更新する更新部として機能させるためのプログラム。
【請求項１５】
差出人に関する情報である差出人情報が格納される差出人情報格納部と、
宛先に関する情報である１以上の宛先情報が格納される宛先情報格納部と、にアクセス可能なコンピュータを、
差出人情報を更新する指示である更新指示を受け付ける更新指示受付部と、
前記更新指示受付部が受け付けた更新指示を送信する更新指示送信部と、
前記更新指示受付部が受け付けた更新指示に応じて、前記差出人情報格納部に格納されている差出人情報を更新する差出人情報更新部と、
更新指示を受信する更新指示受信部と、
前記更新指示受信部が受信した更新指示に応じて、前記宛先情報格納部に格納されている宛先情報を更新する更新部と、
前記宛先情報格納部に格納されている一の宛先情報と、前記差出人情報格納部に格納されている差出人情報との一以上の組を、はがきに出力する出力部として機能させるためのプログラム。
【発明の詳細な説明】
【技術分野】
【０００１】
本発明は、宛先を管理するシステム等に関するものである。
【背景技術】
【０００２】
従来の宛先を管理する技術として、入力された住所データ、及び、その住所の表示あるいは印刷する指示を与えるための出力指示データに基づいて、各市町村を区分して名づけられた、丁目、番地、号等の区分名称を統一し、かつ、都道府県名を削除した住所表記データを作成する住所表記データ作成手段と、その作成された住所表記データの表示及び印刷を選択的に行う表示印刷制御手段を備えるものが知られていた（例えば、特許文献１参照）。
【先行技術文献】
【特許文献】
【０００３】
【特許文献１】特開平７−４４５４７号公報（第１頁、第１図等）
【発明の概要】
【発明が解決しようとする課題】
【０００４】
しかしながら、従来の技術においては、一のユーザが差出人の情報を変更しても、この差出人の変更が他のユーザが有する宛先の情報に反映されない、という課題があった。
【０００５】
例えば、一のユーザＡが、自分が所有しているはがき管理用のソフトウェアが参照する差出人の情報を変更したとしても、他のユーザが所有しているはがき管理用のソフトウェアが参照するユーザＡについての宛先の情報を、この差出人の情報の変更に合わせて自動的に変更することができなかった。
【課題を解決するための手段】
【０００６】
本発明の宛先管理システムは、１以上の第一ユーザ端末と、１以上の第二ユーザ端末とを備えた宛先管理システムであって、第一ユーザ端末は、差出人に関する情報である差出人情報を更新する指示である更新指示を受け付ける更新指示受付部と、更新指示受付部が受け付けた更新指示を送信する更新指示送信部とを備え、第二ユーザ端末は、宛先に関する情報である１以上の宛先情報が格納される宛先情報格納部と、第一ユーザ端末が送信した更新指示を受信する更新指示受信部と、更新指示受信部が受信した更新指示に応じて、宛先情報格納部に格納されている宛先情報を更新する更新部とを備えた宛先管理システムである。
【０００７】
かかる構成により、差出人に関する情報の更新を、適切に宛先に関する情報に反映させることができる。
【０００８】
また、本発明の宛先管理システムは、前記宛先管理システムにおいて、差出人情報は、差出人情報を識別する情報である差出人情報識別情報と対応付けられており、宛先情報は、宛先情報に対応する差出人情報に対応付けられた差出人情報識別情報を有している宛先管理システムである。
【０００９】
かかる構成により、更新指示により更新される差出人情報に対応する宛先情報を正確に検出することができる。
【００１０】
また、本発明の宛先管理システムは、前記宛先管理システムにおいて、更新指示送信部は、更新指示を、更新指示により更新される差出人情報と対応付けられた差出人情報識別情報と対応付けて送信し、更新指示受信部は、差出人情報識別情報と対応付けられた更新指示を受信し、更新部は、更新指示受信部が受信した更新指示と対応付けられた差出人情報識別情報と一致する差出人情報識別情報を有する宛先情報を更新する宛先管理システムである。
【００１１】
かかる構成により、更新指示により更新される差出人情報に対応する宛先情報を正確に検出して、差出人に関する情報の更新を、適切な宛先に関する情報に反映させることができる。
【００１２】
また、本発明の宛先管理システムは、前記宛先管理システムにおいて、宛先情報の少なくとも一部は、宛先情報に対応するユーザにはがきを郵送する際の、宛先に利用可能な情報である宛先管理システムである。
【００１３】
かかる構成により、適切に更新された宛先に、はがきを郵送することができる。
【００１４】
また、本発明の宛先管理システムは、前記宛先管理システムにおいて、宛先管理システムは、サーバ装置を更に備え、サーバ装置は、第一ユーザ端末から更新指示を受信するサーバ受信部と、更新指示格納部に格納されている更新指示を、第二ユーザ端末に送信するサーバ送信部とを備えた宛先管理システムである。
【００１５】
かかる構成により、サーバ装置経由で更新指示を第二ユーザ端末に送信することができ、更新指示の送信を容易に管理することができる。
【００１６】
また、本発明の宛先管理システムは、前記宛先管理システムにおいて、第二ユーザ端末は、予め指定されたタイミングに、更新指示の送信を要求する情報である要求情報をサーバ装置に送信する要求情報送信部を、更に備え、サーバ装置は、更新指示が格納される更新指示格納部と、サーバ受信部が受信した更新指示を、更新指示格納部に蓄積する更新指示蓄積部と、第二ユーザ端末から要求情報を受信する要求情報受信部とを、更に備え、サーバ送信部は、要求情報受信部が要求情報を受信した場合に、要求情報の送信元となる第二ユーザ端末に、更新指示格納部に格納された更新指示を送信する宛先管理システムである。
【００１７】
かかる構成により、第二ユーザ端末に指定されたタイミングで更新指示を受信することができ、例えば、オンデマンドで更新指示を受信したり、第二ユーザ端末が起動していない際に更新指示が送信されることを防ぐことができる。
【００１８】
また、本発明の宛先管理システムは、前記宛先管理システムにおいて、サーバ送信部は、サーバ受信部が更新指示を受信した場合に、更新指示を第二ユーザ端末に送信する宛先管理システムである。
【００１９】
かかる構成により、差出人情報が更新された直後に、この更新を、宛先情報に反映させることができる。
【００２０】
また、本発明の宛先管理システムは、前記宛先管理システムにおいて、第二ユーザ端末は、差出人情報の更新内容と、更新内容に関連した情報である更新関連情報とを有する１以上の更新関連管理情報が格納される更新関連管理情報格納部と、更新指示受信部が受信した更新指示が示す差出人情報の更新内容に対応した更新関連情報を、更新関連管理情報から取得し、取得した更新関連情報を出力する更新関連情報出力部とを備えた宛先管理システムである。
【００２１】
かかる構成により、更新内容に応じた適切な情報を提示することができる。
【００２２】
本発明の第一ユーザ端末は、差出人に関する情報である差出人情報を更新する指示である更新指示を受け付ける更新指示受付部と、更新指示受付部が受け付けた更新指示を送信する更新指示送信部とを備えた第一ユーザ端末である。
【００２３】
かかる構成により、差出人に関する情報の更新を、適切に送信することができる。
【００２４】
本発明の第二ユーザ端末は、宛先に関する情報である１以上の宛先情報が格納される宛先情報格納部と、差出人に関する情報である差出人情報を更新する指示である更新指示を受信する更新指示受信部と、更新指示受信部が受信した更新指示に応じて、宛先情報格納部に格納されている宛先情報を更新する更新部とを備えた第二ユーザ端末である。
【００２５】
かかる構成により、差出人に関する情報の更新を、適切に宛先に関する情報に反映させることができる。
【００２６】
本発明のサーバ装置は、差出人に関する情報である差出人情報を更新する指示である更新指示を、第一ユーザ端末から受信するサーバ受信部と、更新指示格納部に格納されている更新指示を、第二ユーザ端末に送信するサーバ送信部とを備えたサーバ装置である。
【００２７】
かかる構成により、更新指示の送信を適切に管理することができる。
【００２８】
本発明の端末装置は、差出人に関する情報である差出人情報が格納される差出人情報格納部と、差出人情報を更新する指示である更新指示を受け付ける更新指示受付部と、更新指示受付部が受け付けた更新指示を送信する更新指示送信部と、更新指示受付部が受け付けた更新指示に応じて、差出人情報格納部に格納されている差出人情報を更新する差出人情報更新部と、宛先に関する情報である１以上の宛先情報が格納される宛先情報格納部と、
更新指示を受信する更新指示受信部と、更新指示受信部が受信した更新指示に応じて、宛先情報格納部に格納されている宛先情報を更新する更新部と、宛先情報格納部に格納されている一の宛先情報と、差出人情報格納部に格納されている差出人情報との一以上の組を、はがきに出力する出力部とを備えた端末装置である。
【００２９】
かかる構成により、差出人に関する情報の更新を、適切に宛先に関する情報に反映させることができる。
【発明の効果】
【００３０】
本発明による宛先管理システム等によれば、差出人に関する情報の更新を、適切に宛先に関する情報に反映させることができる。
【図面の簡単な説明】
【００３１】
【図１】本発明の実施の形態における宛先管理システムのブロック図
【図２】同宛先管理システムの第二ユーザ端末動作について説明するフローチャート
【図３】同宛先管理システムのサーバ装置の動作について説明するフローチャート
【図４】同宛名管理システムの更新指示管理情報を示す図
【図５】同宛名管理システムの宛先管理情報を示す図
【図６】同宛名管理システムの宛先管理情報を示す図
【図７】同宛名管理システムの更新関連管理情報を示す図
【図８】同宛名管理システムの更新関連情報等の表示例を示す図を示す図
【図９】同宛名管理システムの変形例のブロック図
【図１０】同宛名管理システムの変形例の端末装置のブロック図
【図１１】本発明の実施の形態におけるコンピュータシステムの外観の一例を示す図
【図１２】同コンピュータシステムの構成の一例を示す図
【発明を実施するための形態】
【００３２】
以下、宛先管理システム等の実施形態について図面を参照して説明する。なお、実施の形態において同じ符号を付した構成要素は同様の動作を行うので、再度の説明を省略する場合がある。
【００３３】
（実施の形態）
図１は、本実施の形態における宛先管理システム１のブロック図である。
【００３４】
宛先管理システム１は、１または２以上の第一ユーザ端末１１、１または２以上の第二ユーザ端末１２、及びサーバ装置１３を備える。第一ユーザ端末１１、第二ユーザ端末１２、及びサーバ装置１３は、ネットワークや通信回線等により情報の送受信が可能となるよう接続されている。なお、ここでは説明の便宜上、宛先管理システム１が、第一ユーザ端末１１と第二ユーザ端末１２とをそれぞれ一つ有している場合を例に挙げて説明しているが、それぞれは複数であっても良い。
【００３５】
第一ユーザ端末１１は、差出人情報格納部１１０、更新指示受付部１１１、更新指示送信部１１２、及び差出人情報更新部１１３を備える。
【００３６】
第二ユーザ端末１２は、宛先情報格納部１２１、更新指示受信部１２２、更新部１２３、要求情報送信部１２４、更新関連管理情報格納部１２５、更新関連情報出力部１２６、受付部１２７、及び出力部１２８を備える。
【００３７】
サーバ装置１３は、サーバ受信部１３１、更新指示格納部１３２、更新指示蓄積部１３３、要求情報受信部１３４、及びサーバ送信部１３５を備える。
【００３８】
第一ユーザ端末１１は、ユーザが利用する端末装置である。第一ユーザ端末１１を利用するユーザを、以下、第一のユーザと称す。第一のユーザが利用する端末装置とは、第一のユーザが所有する端末装置であっても良いし、第一のユーザに対して登録されている端末装置であっても良い。また、第一のユーザがログインしている端末装置であっても良い。第一ユーザ端末１１は、例えば、コンピュータや、携帯情報端末、携帯電話、いわゆるスマートフォン等の多機能携帯電話、タブレット端末等である。
【００３９】
差出人情報格納部１１０には、差出人情報が格納される。差出人情報とは、差出人に関する情報である。差出人とは、例えば、郵送物や配送物を差し出す人である。ここでの人は、通常、個人であるが、法人等であっても良い。差出人は、郵送物や配送物の送信元と考えても良い。差出人情報は、例えば、はがきや手紙等の郵送物や配送物等に差出人に関する情報として記載される情報である。例えば、はがきや手紙の宛名面やラベル等を印刷する際に利用されるテンプレート等の、差出人に関する情報を配置するフィールドに配置される情報である。差出人情報は、例えば、第一ユーザ端末１１を利用する第一のユーザに関する情報であり、差出人情報が示す差出人は、第一のユーザである。差出人情報は、例えば、第一のユーザの氏名、住所、電話番号、メールアドレス、勤務先、役職、家族に関する情報である。差出人情報は、例えば、第一のユーザに郵送物を送信する際（例えば返信する際）等に、第一のユーザを示す宛先の情報として利用可能な情報である。
【００４０】
差出人情報は、例えば、差出人の属性を示す識別情報と、その属性値とで構成される。属性は項目と考えても良い。属性を示す識別情報は、例えば属性名である。例えば、差出人情報は、「氏名」という属性名と、「日本太郎」等の実際の氏名である属性値との１以上の組を有する情報である。
【００４１】
差出人情報は、例えば、この差出人情報を識別する情報である差出人情報識別情報と対応付けられて差出人情報格納部１１０に格納されている。差出人情報識別情報は、差出人情報を識別可能な一意の情報であればどのような情報であってもよい。差出人情報識別情報は、例えば、差出人情報識別情報に割り当てられたコードや文字列である。
【００４２】
なお、差出人情報格納部１１０に一のユーザに関する一の差出人情報だけが格納される場合、差出人情報として、ユーザの識別情報である差出人情報識別情報を用いても良い。このユーザの識別情報である差出人情報識別情報は、例えば、ユーザに割り当てられたコードや、ユーザのアカウント、ユーザのメールアドレス、ユーザの携帯電話番号等である。この場合、差出人情報識別情報として、ユーザの氏名を用いても良いが、ユーザの氏名はユーザ間で重複する場合があることから、差出人情報識別情報としてはユーザの氏名以外を用いることが好ましい。
【００４３】
差出人情報が、差出人情報識別情報とどのように対応付けられているかは問わない。例えば、差出人情報が、差出人情報識別情報を有していても良い。また、差出人情報と、差出人情報識別情報とを有する情報が差出人情報格納部１１０等に格納されていても良い。また、第一ユーザ端末１１の図示しない格納部等に格納されている第一のユーザの差出人情報識別情報を、差出人情報に対応付けられた差出人情報識別情報と考えても良い。
【００４４】
差出人情報格納部１１０は、不揮発性の記録媒体が好適であるが、揮発性の記録媒体でも実現可能である。かかることは、以下の格納部についても同様である。
【００４５】
更新指示受付部１１１は、更新指示を受け付ける。更新指示受付部１１１は、通常、第一ユーザ端末１１を利用する第一のユーザから更新指示を受け付ける。更新指示は、差出人情報を更新する指示である。差出人情報の更新とは、差出人情報の変更や削除、追記等である。更新指示が示す更新対象となる差出人情報は、通常、差出人情報格納部１１０に格納されている差出人情報である。ただし、他のサーバ装置等に格納されている差出人情報であっても良い。
【００４６】
更新指示は、更新内容を示す情報を有する。更新内容を示す情報は、例えば、更新箇所を示す情報と、更新用のデータとの組で構成される情報である。例えば、更新箇所を示す情報は、更新される属性名（あるいは項目名）等の更新される属性（あるいは項目）を示す情報である。更新用のデータは、更新に用いられるデータであり、例えば、更新後のデータである。更新用のデータは、例えば、上書きされるデータや、追記されるデータである。更新用のデータは、差分のデータであっても良い。なお、更新箇所を削除する場合、更新用のデータはＮｕｌｌ等であっても良い。また、削除の場合、更新内容を示す情報は、更新箇所を示す情報と、その箇所の情報を削除する指示等との組であっても良い。また、更新指示は、更新を実行させるための命令や、更新を実行させるスクリプトや、更新を実行させる実行ファイル等を更に有していても良い。
【００４７】
更新指示は、更に、更新対象となる差出人情報を示す差出人情報識別情報を有していても良い。通常、差出人情報格納部１１０に格納される差出人情報は、第一のユーザに対応した一の差出人情報だけであるが、差出人情報格納部１１０に複数の差出人情報が含まれる場合、この更新指示が有する差出人情報識別情報により、更新対象となる差出人情報を識別可能である。
【００４８】
ここでの受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００４９】
更新指示の入力手段は、テンキーやキーボードやマウスやメニュー画面によるもの等、何でも良い。更新指示受付部１１１は、テンキーやキーボード等の入力手段のデバイスドライバーや、メニュー画面の制御ソフトウェア等で実現され得る。
【００５０】
更新指示送信部１１２は、更新指示受付部１１１が受け付けた更新指示を送信する。更新指示送信部１１２は、例えば、更新指示を、更新指示受付部１１１が受け付けた直後に送信する。
【００５１】
更新指示送信部１１２は、例えば、更新指示受付部１１１が受け付けた更新指示を、この更新指示により更新される差出人情報を示す差出人情報識別情報と対応付けて送信する。更新指示送信部１１２は、送信する差出人情報識別情報をどのように取得しても良い。例えば、更新指示送信部１１２は、更新の対象となる差出人情報と対応付けられた差出人情報識別情報を取得する。また、差出人情報識別情報が、ユーザの識別情報である場合、更新指示受付部１１１や図示しない受付部等が受け付けた第一のユーザの差出人情報識別情報を取得しても良い。また、更新指示が、更新される差出人情報を示す差出人情報識別情報を有する場合、この更新指示の送信を、上記の差出人情報識別情報と対応付けた更新指示の送信と考えても良い。
【００５２】
更新指示送信部１１２は、例えば、１または２以上の第二ユーザ端末１２や、サーバ装置１３等に対して、更新指示を送信する。更新指示送信部１１２は、例えば、第二ユーザ端末１２内の宛先を更新させるために、１または２以上の第二ユーザ端末１２やサーバ装置１３に対して更新指示を送信する。
【００５３】
例えば、更新指示送信部１１２は、予め指定された１または２以上の第二ユーザ端末１２に更新指示を送信してもよいし、不特定の第二ユーザ端末１２に更新指示を送信しても良い。予め指定された第二ユーザ端末１２とは、例えば、第一ユーザ端末１１を利用する第一のユーザに対応する宛先情報が格納された第二ユーザ端末１２である。第一のユーザに対応する宛先情報とは、第一のユーザを宛先に指定する宛先情報である。第一のユーザに対応する宛先情報とは、第一のユーザの差出人情報識別情報と一致する差出人情報識別情報を有する宛先情報を有する第二ユーザ端末１２である。宛先情報については後述する。
【００５４】
なお、以下においては、一例として、更新指示送信部１１２が、サーバ装置１３に対して更新指示を送信する場合を例に挙げて説明する。
【００５５】
更新指示送信部１１２は、通常、無線または有線の通信手段で実現されるが、放送手段で実現されても良い。更新指示送信部１１２は、通信デバイスを含むと考えても、含まないと考えても良い。
【００５６】
差出人情報更新部１１３は、更新指示受付部１１１が受け付けた更新指示に応じて、差出人情報格納部１１０に格納されている差出人情報を更新する。差出人情報更新部１１３は、例えば、更新指示受付部１１１が受け付けた更新指示が差出人情報識別情報を有する場合、この差出人情報識別情報と一致する差出人情報識別情報を有する差出人情報を更新する。
【００５７】
差出人情報更新部１１３は、更新対象となる差出人情報を、更新指示が有する更新内容を示す情報に応じて更新する。例えば、差出人情報更新部１１３は、差出人情報のうちの、更新内容を示す情報が有する更新箇所を示す情報に対応する部分を、更新内容を示す情報が有する更新用のデータを用いて更新する。更新箇所を示す情報に対応する部分とは、例えば、更新箇所を示す情報が示す箇所に対応する部分である。更新箇所を示す情報に対応する箇所とは、更新指示が有する更新箇所を示す情報が示す属性（あるいは項目）と一致している差出人情報の属性（あるいは項目）であってもよいし、更新指示が有する更新箇所を示す情報が示す属性（あるいは項目）と予め対応づけられた差出人情報の属性（あるいは項目）の属性値（あるいは項目の値）であってもよい。更新用のデータを用いて更新するということは、例えば、更新用のデータで、差出人情報の、変更箇所を示す情報に対応する部分を上書きすることや、更新用のデータを追記（挿入も含む）したりすることや、更新用のデータに応じて、差出人情報の一部を削除することである。ここでの更新は、更新した差出人情報を、差出人情報格納部１１０に蓄積することや、差出人情報の少なくとも一部を差出人情報格納部１１０から削除することも含む概念である。
【００５８】
なお、差出人情報更新部１１３は、更新指示が有する命令やスクリプト等に応じて、差出人情報を更新しても良い。
【００５９】
なお、更新指示が、更新前の差出人情報と、更新後の差出人情報とを有する場合、更新対象となる差出人情報のうちの、更新前の差出人情報に対応する部分を、更新後の差出人情報となるように更新しても良い。例えば、差出人情報から更新前の差出人情報と一致する部分を検出し、検出した部分を、更新後の差出人情報となるように更新してもよい。例えば、更新後の差出人情報で上書きしても良い。ここでの更新指示が有する更新の前後の差出人情報とは、差出人情報の一部分であっても良い。
【００６０】
なお、更新指示が、第一ユーザ端末１１以外の図示しないサーバ装置に格納されている差出人情報を更新する指示である場合等においては、差出人情報格納部１１０や差出人情報更新部１１３は、第一ユーザ端末１１から省略して良い。
【００６１】
第二ユーザ端末１２は、第二のユーザが利用する端末装置である。第二ユーザ端末１２を利用するユーザを、以下、第二のユーザと称す。第二のユーザが利用する端末装置とは、第二のユーザが所有する端末装置であっても良いし、第二のユーザに対して登録されている端末装置であっても良い。また、第二のユーザがログインしている端末装置であっても良い。第二ユーザ端末１２は、例えば、コンピュータや、携帯情報端末、携帯電話、いわゆるスマートフォン等の多機能携帯電話、タブレット端末等である。
【００６２】
宛先情報格納部１２１には、１以上の宛先情報が格納される。宛先情報は、宛先に関する情報である。ここでの宛先とは、例えば、郵送物や配送物の宛先である。郵送物とは、例えば、年賀状や暑中見舞いのはがき等のはがきである。ここでの宛先は、通常、個人であるが、法人等であっても良い。宛先は、送信先や、はがきや封筒等の宛名等と考えても良い。宛先情報は、例えば、ユーザの氏名、住所、電話番号、メールアドレス、勤務先、役職、家族に関する情報である。宛先情報は、例えば、ユーザに対するはがき等の宛先として利用可能な情報である。宛先情報は、例えば、宛先を構成する１以上の情報に対応する属性を示す識別情報と、その属性値とで構成される。ここでの属性は項目と考えてもよい。宛先情報の少なくとも一部の情報は、例えば、差出人情報の少なくとも一部の情報に対応している情報である。
【００６３】
宛先情報は、例えば、差出人情報識別情報を有している。宛先情報が有する差出人情報識別情報は、宛先情報に対応する差出人情報に対応付けられた差出人情報識別情報である。宛先情報に対応する差出人情報とは、例えば、宛先情報が示す宛先のユーザと同じユーザを差出人として示す差出人情報と考えてもよい。宛先情報に対応する差出人情報とは、宛先情報が有する情報の少なくとも一部と一致する情報を有する差出人情報である。一の差出人情報と対応付けられた差出人情報識別情報と一致する差出人情報識別情報を有する宛先情報は、例えば、この一の差出人情報に対応した情報を少なくとも１以上有する情報である。一の宛先情報が有する差出人情報識別情報と、一の差出人情報と対応付けられた差出人情報識別情報とが一致しているということは、例えば、一の宛先情報が示す宛先のユーザと、一の差出人情報が示す差出人であるユーザとが、同じユーザであることを示している。
【００６４】
宛先情報は、例えば、差出人情報が有する属性のうちの１以上と対応している属性の属性値を有している。対応している属性とは、例えば、一致している属性や、図示しない格納部等に格納されている差出人情報の属性と宛先情報の属性との対応付けを管理する情報等により予め対応付けられている属性である。例えば、差出人情報の「住所」という属性名と、宛先情報の「アドレス」という属性名が対応付けられている場合、宛先情報の「アドレス」という属性の属性値は、差出人情報の「住所」に対応している宛先情報の属性の属性値である。対応付けを管理する情報により対応付けられている情報は、実質的な属性や内容が同じ情報である。
【００６５】
例えば、差出人情報識別情報が一致する差出人情報と宛先情報とは、少なくとも１以上の対応する（例えば一致する）属性を有しており、その属性値とが一致している。
【００６６】
更新指示受信部１２２は、第一ユーザ端末１１が送信した更新指示を受信する。更新指示受信部１２２は、第一ユーザ端末１１が送信する更新指示を結果的に受信できればよい。例えば、更新指示受信部１２２は、第一ユーザ端末１１が送信する更新指示を、直接受信してもよい。また、更新指示受信部１２２は、第一ユーザ端末１１が送信する更新指示を、間接的に受信してもよい。また、更新指示受信部１２２は、第一ユーザ端末１１が送信する更新指示を、サーバ装置１３を介して受信してもよい。以下、本実施の形態においては、更新指示を、サーバ装置１３を介して間接的に受信する場合を例に挙げて説明する。
【００６７】
更新指示受信部１２２は、例えば、差出人情報識別情報と対応付けられた更新指示を受信してもよい。例えば、更新指示受信部１２２は、更新指示と、この更新指示と対応付けられて第一ユーザ端末１１から送信された差出人情報識別情報との組を受信しても良い。
【００６８】
更新指示受信部１２２は、通常、無線または有線の通信手段で実現されるが、放送を受信する手段で実現されても良い。更新指示受信部１２２は、通信デバイスを含むと考えても、含まないと考えても良い。
【００６９】
更新部１２３は、更新指示受信部１２２が受信した更新指示に応じて、宛先情報格納部１２１に格納されている宛先情報を更新する。更新部１２３は、例えば、更新指示受信部１２２が受信した更新指示と対応付けられた差出人情報識別情報と一致する差出人情報識別情報を有する宛先情報を更新する。一致する差出人情報識別情報を有する宛先情報がない更新指示については、例えば、宛先情報の更新は行わない。この更新指示は、例えば、破棄する。
【００７０】
更新部１２３は、更新対象となる宛先情報を、更新指示が有する更新内容を示す情報に応じて更新する。例えば、更新部１２３は、宛先情報のうちの、更新内容を示す情報が有する更新箇所を示す情報に対応する部分を、更新内容を示す情報が有する更新用のデータを用いて更新する。更新箇所を示す情報に対応する部分とは、更新指示が有する更新箇所を示す情報が示す属性（あるいは項目）と対応している宛先情報の属性（あるいは項目）に対応する属性値（あるいは項目の値）である。対応している属性については、上記と同様である。更新用のデータを用いて更新するということは、例えば、更新用のデータで、宛先情報の、変更箇所を示す情報に対応する部分を上書きすることや、更新用のデータを追記（挿入も含む）したりすることや、更新用のデータに応じて、宛先情報の一部を削除することである。ここでの更新は、更新した宛先情報を、宛先情報格納部１２１に蓄積することや、宛先情報の少なくとも一部を宛先情報格納部１２１から削除することも含む概念である。
【００７１】
なお、例えば、同じ属性を示す識別情報（例えば属性名）が、差出人情報と、宛先情報とで異なっている場合、同じ属性を示す差出人情報の属性の識別情報と宛先情報の属性の識別情報との対応関係を示す情報を、図示しない格納部等に予め蓄積しておくようにし、更新部１２３は、この対応関係を示す情報を用いて、更新指示が示す更新内容に対応する部分を、更新の対象となる宛先情報から検出することで、宛先情報の、更新指示が有する更新箇所を示す情報に対応する部分を更新することができる。同じ属性を示す差出人情報の属性の識別情報と宛先情報の属性の識別情報との対応関係を示す情報とは、例えば、同じ属性を示す差出人情報の属性の識別情報と宛先情報の属性の識別情報とを有する情報である。例えば、差出人情報の「住所」という属性名と、宛先情報の「アドレス」という属性名とを有する情報である。
【００７２】
なお、更新部１２３は、更新指示が有する命令やスクリプト等に応じて、宛先情報を更新しても良い。
【００７３】
なお、更新指示が、更新前の差出人情報と、更新後の差出人情報とを有する場合、更新の対象となる宛先情報のうちの、更新前の差出人情報に対応する部分を、更新後の差出人情報となるように更新しても良い。例えば、宛先情報から更新前の差出人情報と一致する部分を検出し、検出した部分を、更新後の差出人情報となるように更新してもよい。例えば、更新後の差出人情報で上書きしても良い。ここでの更新指示が有する更新の前後の差出人情報とは、差出人情報の一部分であっても良い
【００７４】
更新部１２３は、通常、ＭＰＵやメモリ等から実現され得る。更新部１２３の処理手順は、通常、ソフトウェアで実現され、当該ソフトウェアはＲＯＭ等の記録媒体に記録されている。但し、ハードウェア（専用回路）で実現しても良い。
【００７５】
要求情報送信部１２４は、要求情報をサーバ装置１３に送信する。要求情報は、更新指示の送信を要求する情報である。要求情報送信部１２４は、予め指定されたタイミングに、要求情報を送信する。予め指定されたタイミングとは、例えば、第二ユーザ端末１２の起動時である。また、第二ユーザ端末１２がアプリケーションプログラムを実行することで実現されるものである場合、予め指定されたタイミングは、このアプリケーションプログラムの起動時であっても良い。また、予め指定されたタイミングは、ユーザが要求情報を送信するための指示を、受付部１２７等に入力した場合等のタイミングであっても良い。
【００７６】
要求情報送信部１２４は、例えば、第二ユーザ端末識別情報を有する要求情報を送信する。第二ユーザ端末識別情報は、要求情報を送信する第二ユーザ端末１２の識別情報である。第二ユーザ端末識別情報は、例えば、第二ユーザ端末１２のＩＰアドレスやマックアドレス等のアドレス情報等である。第二ユーザ端末識別情報は、第二ユーザ端末１２を利用する第二ユーザの差出人情報識別情報や、第二のユーザに対応する差出人情報識別情報でもよい。また、第二ユーザ端末識別情報は、第二のユーザのユーザ識別情報であっても良い。
【００７７】
要求情報送信部１２４は、例えば、宛先情報格納部１２１に格納されている１または２以上の宛先情報がそれぞれ有する差出人情報識別情報を取得して、取得した差出人情報識別情報を有する要求情報を、サーバ装置１３に送信するようにしてもよい。この差出人情報は、要求情報の送信時に取得しても良いし、異なるタイミングにおいて予め取得しておいても良い。要求情報送信部１２４は、通常、無線または有線の通信手段で実現される。
【００７８】
なお、要求情報は、更新指示の送信が要求されたことを、サーバ装置１３が判断可能な情報であればよく、更新指示の送信を要求する命令等を有していなくても良い。例えば、上記のような第二ユーザ端末識別情報や、宛先情報が有する差出人情報識別情報を、要求指示として用いても良い
【００７９】
更新関連管理情報格納部１２５には、１以上の更新関連管理情報が格納される。更新関連管理情報は、差出人情報の更新内容と、更新内容に関連した情報である更新関連情報とを有する。
【００８０】
差出人情報の更新内容とは、具体的には、差出人情報の更新内容を識別可能な情報である。差出人情報の更新内容は、例えば、差出人情報の更新箇所を示す情報である。例えば、差出人情報の更新内容は、更新される差出人情報の属性を示す識別情報（例えば、属性名）である。また、更新内容は、更新情報に応じて行われる更新が、変更であるか、削除であるかを示す情報等を有していても良い。
【００８１】
更新関連情報は、例えば、更新内容に応じて第二のユーザに通知することが好ましい情報である。例えば、更新関連情報は、第二のユーザに対して、更新対象となった差出人情報に対応する第一のユーザ宛に、更新内容に応じたはがき等の送信を勧める文字列や画像の情報である。例えば、「役職」というユーザの役職を示す属性である更新内容と、「役職が変更されたので、昇進祝いを送ることをお勧めします。」という昇進祝いの送信を勧める更新関連情報とが対応付けられて格納される。なお、更新関連情報は、更新指示に対応する宛先情報が有する氏名、即ち、第一のユーザの氏名等が入力される箇所を示す関数や、正規表現等を有するテンプレート等の情報であっても良い。この場合、この更新関連情報を出力する際には、後述する更新関連情報出力部１２６は、例えば、適宜、関数の部分に宛先情報から取得した対応する情報を配置して出力する。
【００８２】
なお、差出人情報の更新内容が、同じ差出人情報を有している宛先情報に反映されることから、ここでの差出人情報の更新内容は、この差出人情報と同じ差出人情報識別情報を有する宛先情報の更新内容と考えても良い。
【００８３】
更新関連情報出力部１２６は、更新指示受信部１２２が受信した更新指示が示す差出人情報の更新内容に対応した更新関連情報を、更新関連管理情報から取得する。そして、更新関連情報出力部１２６は、取得した更新関連情報を出力する。例えば、更新関連情報出力部１２６は、更新指示受信部１２２が受信した更新指示が示す更新内容を取得する。例えば、取得する更新内容は、更新指示が示す更新対象となる属性や項目の識別情報（例えば、属性名や項目名）等である。そして、取得した更新内容と一致する更新内容が対応付けられた更新関連情報を、更新関連管理情報格納部１２５から検索等により取得する。そして、取得した更新関連情報を出力する。
【００８４】
更新関連情報出力部１２６は、例えば、取得した更新関連情報を、更新指示が有する差出人情報識別情報と一致する差出人情報識別情報を有する宛先情報を示す情報と対応付けて出力することが好ましい。例えば、ここで出力される宛先情報を示す情報は、例えば、宛先情報に含まれる情報の少なくとも一部である。例えば、出力される宛先情報を示す情報は、宛先情報に含まれる氏名や、差出人情報識別情報であっても良いし、一致する差出人情報識別情報を有する宛先情報に割り当てられた識別情報（例えば、レコードを管理するＩＤ）であっても良いし、一致する差出人情報識別情報を有する宛先情報を出力するための処理を実行させるリンクボタン等のボタンであっても良い。
【００８５】
一例を挙げると、更新指示受信部１２２が受信した更新指示が示す差出人情報の更新内容が、「役職」という属性名であったとする。つまり、この更新内容は、差出人情報の「役職」という属性の属性値を更新するものであったとする。この更新内容は、
差出人情報の「役職」という属性に対応する宛先情報の属性の属性値を更新するものと考えても良い。更新関連情報出力部１２６は、差出人情報から、更新内容として、「役職」という属性名を取得し、更新関連管理情報格納部１２５に格納されている更新関連管理情報の中から、取得した属性名である「役職」と対応する（例えば一致する）属性名を有する更新関連管理情報を検出し、検出した更新関連管理情報の更新関連情報を取得する。
【００８６】
また、更新関連情報出力部１２６は、更新指示受信部１２２が受信した更新指示が有する差出人情報識別情報を取得し、一致する差出人情報識別情報を有する宛先情報を、宛先情報格納部１２１から検出し、この宛先情報を示す情報、例えば、「氏名」という属性名の属性値と、この宛先情報に一意に割り当てられた番号とを取得する。
【００８７】
そして、更新関連情報出力部１２６は、上記で取得した更新関連情報と、宛先情報を示す情報とを出力する。
【００８８】
ここで述べる出力とは、ディスプレイへの表示、プロジェクターを用いた投影、プリンタへの印字、音出力、外部の装置への送信、記録媒体への蓄積、他の処理装置や他のプログラムなどへの処理結果の引渡しなどを含む概念である。かかることは、以下の出力部１２８においても同様である。
【００８９】
更新関連情報出力部１２６は、ディスプレイやスピーカー等の出力デバイスを含むと考えても含まないと考えても良い。更新関連情報出力部１２６は、出力デバイスのドライバーソフトまたは、出力デバイスのドライバーソフトと出力デバイス等で実現され得る。
【００９０】
受付部１２７は、第二ユーザ端末１２に対する操作を、第二のユーザから受け付ける。受け付ける操作は、例えば、どのような操作でも良い。受け付ける操作は、例えば、宛先情報格納部１２１に格納されている宛先情報を出力するための指示を与える操作である。操作を入力するための入力手段は、テンキーやキーボードやマウスやメニュー画面によるもの等、何でも良い。受付部１２７は、テンキーやキーボード等の入力手段のデバイスドライバーや、メニュー画面の制御ソフトウェア等で実現され得る。
【００９１】
出力部１２８は、宛先情報格納部１２１に格納されている宛先情報等を出力する。宛先情報の出力とは、例えば、はがきや、封筒への宛先情報の印刷である。ここでのはがきとは、例えば年賀状である。例えば、出力部１２８は、図示しない格納部等に予め格納されているテンプレート等に、１以上の宛先情報を配置して得られたデータを、はがきや封筒の宛名面に印刷する。このテンプレート情報は、例えば、はがきの印刷面に対応した宛名情報が配置される領域の情報を有するものであることが好ましい。また、このテンプレート情報は、宛名情報を配置する領域の情報に加えて、はがきに印刷する画像や文字列の情報を有していてもよい。このテンプレート情報は、例えば、年賀状や、暑中見舞い、喪中や寒中見舞い等の慶弔のはがきのテンプレート情報である。また、出力部１２８は、メニュー画面等のインターフェース画面等を出力しても良い。
【００９２】
ここで述べる出力とは、ディスプレイへの表示、プリンタへの印字、外部の装置への送信、記録媒体への蓄積、他の処理装置や他のプログラムなどへの処理結果の引渡しなどを含む概念である。なお、出力部１２８が行う出力が、年賀状等のはがきの印刷も含む場合、第二ユーザ端末装置１２は、年賀状印刷装置等のはがき印刷装置等と考えてもよい。
【００９３】
出力部１２８は、ディスプレイやスピーカー等の出力デバイスを含むと考えても含まないと考えても良い。出力部１２８は、出力デバイスのドライバーソフトまたは、出力デバイスのドライバーソフトと出力デバイス等で実現され得る。
【００９４】
なお、上述した第一ユーザ端末１１も、第二ユーザ端末１２の受付部１２７や出力部１２８と同様の、図示しない受付部や出力部を備えているようにし、受付部が受け付けた指示等に応じて、出力部が差出人情報格納部１１０に格納されている差出人情報等を出力するようにしても良い。例えば、図示しない出力部が差出人情報格納部１１０に格納されている差出人情報を、はがきや封筒に印刷しても良い。
【００９５】
サーバ装置１３は、例えば、コンピュータ等により実現される。
【００９６】
サーバ受信部１３１は、第一ユーザ端末１１から更新指示を受信する。サーバ受信部１３１は、通常、無線または有線の通信手段で実現されるが、放送を受信する手段で実現されても良い。サーバ受信部１３１は、通信デバイスを含むと考えても、含まないと考えても良い。
【００９７】
更新指示格納部１３２には、更新指示が格納される。更新指示格納部１３２に格納される更新指示は、具体的には、サーバ受信部１３１が受信した更新指示である。ここでの格納は、一時記憶も含む概念である。
【００９８】
更新指示蓄積部１３３は、サーバ受信部１３１が受信した更新指示を、更新指示格納部１３２に蓄積する。更新指示蓄積部１３３は、通常、ＭＰＵやメモリ等から実現され得る。更新指示蓄積部１３３の処理手順は、通常、ソフトウェアで実現され、当該ソフトウェアはＲＯＭ等の記録媒体に記録されている。但し、ハードウェア（専用回路）で実現しても良い。
【００９９】
要求情報受信部１３４は、第二ユーザ端末１２から要求情報を受信する。要求情報受信部１３４は、なお、サーバ装置１３が、要求情報に応じて更新指示を送信しない場合、要求情報受信部１３４を設けないようにしても良い。要求情報受信部１３４は、通常、無線または有線の通信手段で実現される。要求情報受信部１３４は、通信デバイスを含むと考えても、含まないと考えても良い。
【０１００】
サーバ送信部１３５は、更新指示格納部１３２に格納されている更新指示を、１または２以上の第二ユーザ端末１２に送信する。サーバ送信部１３５は、例えば、サーバ受信部１３１が更新指示を受信した場合に、更新指示を更新指示格納部１３２から読み出して第二ユーザ端末１２に送信する。更新指示を受信した場合とは、例えば、更新指示を受信した直後と考えても良い。サーバ送信部１３５は、更新指示格納部１３２に格納されている更新指示を、全ての第二ユーザ端末１２に送信しても良いし、一部の第二ユーザ端末１２に送信しても良い。
【０１０１】
サーバ送信部１３５が、更新指示格納部１３２に格納されている更新指示の送信先となる第二ユーザ端末１２と、をどのように決定するかは問わない。以下、更新指示の送信先となる第二ユーザ端末１２の決定の仕方を二つの例について説明する。
【０１０２】
（１）予め指定された第二ユーザ端末に決定する場合
サーバ送信部１３５は、例えば、予め指定された１または２以上の第二ユーザ端末１２を、更新指示の送信先として決定する。例えば、予め図示しない格納部等に１または２以上の第二ユーザ端末識別情報を格納しておくようにし、この格納部に格納されている第二ユーザ端末識別情報が示す第二ユーザ端末１２を更新指示の送信先に決定しても良い。この格納部にどのような第二ユーザ端末識別情報がどのように蓄積されるかは問わない。例えば、第一ユーザ端末１１のユーザと第二ユーザ端末１２のユーザとがともに属するグループ、例えば、ＳＮＳ（ソーシャルネットワークシステム）に属するすべてのユーザに対応した第二ユーザ端末識別情報が、この図示しない格納部に予め蓄積されていてもよい。
【０１０３】
（２）更新指示毎に決定する場合
サーバ送信部１３５は、例えば、更新指示格納部１３２に格納されている更新指示毎に、送信先の第二ユーザ端末１２を決定する。例えば、予め、サーバ装置１３に、更新指示の送信先となる１または２以上の第二ユーザ端末１２の識別情報である第二ユーザ端末識別情報と、各第二ユーザ端末識別情報が示す第二ユーザ端末１２が有している１または２以上の宛先情報が有する差出人情報識別情報とを対応付けて有する対応管理情報が格納される図示しない格納部（以下、対応管理情報格納部と称す）を設けておく。
【０１０４】
サーバ送信部１３５は、更新指示格納部１３２に格納されている更新指示を順次読み出し、この更新指示が有する差出人情報識別情報を順次取得する。そして、対応管理情報格納部に格納されている対応管理情報から、順次取得した差出人情報識別情報と一致する差出人情報識別情報を対応付けられた第二ユーザ端末識別情報を取得し、取得した第二ユーザ端末識別情報が示す第二ユーザ端末１２を、各更新指示の送信先の第二ユーザ端末１２に決定していく。
【０１０５】
なお、図示しない対応管理情報格納部から第二ユーザ端末識別情報毎に対応する１または２以上の差出人情報識別情報を取得し、取得した差出人情報識別情報のいずれか一つを有する更新指示を、更新指示格納部１３２において検出し、検出した更新指示を、各第二ユーザ端末識別情報が示す第二ユーザ端末１２に送信する更新指示に決定するようにしても良い。
【０１０６】
サーバ送信部１３５は、例えば、要求情報受信部１３４が要求情報を受信した場合に、要求情報の送信元となる第二ユーザ端末１２に、更新指示格納部１３２に格納された更新指示を送信するようにしてもよい。例えば、要求情報が、第二ユーザ端末識別情報を有する場合、更新指示格納部１３２に格納された更新指示をこの第二ユーザ端末識別情報が示す第二ユーザ端末１２に送信するようにしてもよい。このようにすることで、例えば、第二ユーザ端末１２に設定されたタイミング等によりオンデマンドで更新指示を送信することが可能となる。
【０１０７】
要求情報受信部１３４が要求情報を受信した場合に、サーバ送信部１３５が、要求情報の送信元となる第二ユーザ端末１２に対して送信する更新指示を、更新指示格納部１３２に格納されている更新指示の中から、どのように決定するかは問わない。以下、要求情報の送信元となる第二ユーザ端末１２に対して送信する更新指示の決定の仕方を三つの例について説明する。
【０１０８】
（ａ）全ての更新指示を決定
サーバ送信部１３５は、例えば、更新指示格納部１３２に格納されている全ての更新指示を、送信対象となる更新指示に決定する。ただし、後述するように、一旦、要求情報の送信元となる第二ユーザ端末１２に送信した更新指示については、送信対象から除外しても良い。
【０１０９】
（ｂ）要求情報の送信元の第二ユーザ端末に応じて決定
サーバ送信部１３５は、例えば、要求情報が、第二ユーザ端末識別情報を有する場合、要求情報が有する第二ユーザ端末識別情報が示す送信元の第二ユーザ端末１２に応じて、送信対象となる更新指示を決定する。例えば、上記の（２）において説明したように、サーバ装置１３に、対応管理情報が格納された対応管理情報格納部を設けておく。そして、サーバ送信部１３５は、要求情報受信部１３４が受信した要求情報に含まれる第二ユーザ端末識別情報を取得し、取得した第二ユーザ端末識別情報と一致する第二ユーザ端末識別情報と対応付けられた更新指示を対応管理情報から検出し、検出した１以上の更新指示を、送信対象の更新指示に決定する。更新指示が検出されなければ、サーバ送信部１３５は、更新指示を送信しない。
【０１１０】
（ｃ）要求情報が有する差出人情報識別情報に応じて決定
サーバ送信部１３５は、例えば、要求情報が１以上の差出人情報識別情報を有している場合、この差出人情報識別情報のいずれか一つを有する更新指示を、送信対象の更新指示に決定する。例えば、サーバ送信部１３５は、例えば、要求情報が、宛先情報格納部１２１に格納された１以上の宛先情報に含まれる１以上の差出人情報識別情報を有している場合、要求情報に含まれる各差出人情報識別情報と同じ差出人情報識別情報を有する更新指示を、更新指示格納部１３２に格納されている更新指示から順次検出し、検出した更新指示を、送信対象の更新指示に決定する。更新指示が検出されなければ、サーバ送信部１３５は、更新指示を送信しない。
【０１１１】
以下、本実施の形態においては、要求情報が１以上の差出人情報識別情報を有しており、サーバ送信部１３５が上記の（ｃ）に示すような処理により、要求情報の送信元の第二ユーザ端末１２に送信する更新指示を決定する場合を例に挙げて説明する。
【０１１２】
サーバ送信部１３５は、同じ第二ユーザ端末１２に同じ更新指示を送信しないようにすることが好ましい。例えば、更新指示格納部１３２に格納されている更新指示を、全ての第二ユーザ端末１２に送信する場合、各更新指示は、送信後に削除してもよい。あるいは送信済であることを示すフラグ等の情報を付与して、この情報が付与された更新指示を再度送信しないようにしても良い。
【０１１３】
また、更新指示を、要求情報の送信元となる第二ユーザ端末１２にだけ送信する場合のように、一度に、一部の第二ユーザ端末１２に対してのみ要求指示を送信する場合においては、例えば、送信した更新指示に対して、要求指示を送信した第二ユーザ端末１２の第二ユーザ端末識別情報等を対応付けるようにし、一の第二ユーザ端末１２に対し、既にこの第二ユーザ端末１２の第二ユーザ端末識別情報と同じ第二ユーザ端末識別情報と対応付けられた更新指示は送信しないようにしても良い。
【０１１４】
なお、サーバ送信部１３５が、どのように、同じ第二ユーザ端末１２に同じ更新指示を送信しないようにするかは問わない。
【０１１５】
サーバ送信部１３５は、通常、無線または有線の通信手段で実現される。また、サーバ送信部１３５の、更新指示の送信先となる第二ユーザ端末１２を決定したり、第二ユーザ端末１２に送信する更新指示を決定したりするための構成は、ＭＰＵやメモリ等により実現されてもよい。この場合のサーバ送信部１３５の処理手順は、通常、ソフトウェアで実現され、当該ソフトウェアはＲＯＭ等の記録媒体に記録されている。但し、ハードウェア（専用回路）で実現しても良い。
【０１１６】
なお、第一ユーザ端末１１が、サーバ送信部１３５を介さずに１または２以上の第二ユーザ端末１２に更新指示を送信する場合、宛先管理システム１に、サーバ装置１３を設けないようにしても良い。
【０１１７】
次に、宛先管理システム１の第一ユーザ端末１１の動作の一例について簡単に説明する。第一のユーザが、ユーザ自身の差出人情報を更新するための操作、例えば、ユーザの差出人情報識別情報と、更新したい差出人情報の属性を示す識別情報と、この属性に対応する属性値についての更新後のデータを入力する操作を行うと、更新指示受付部１１１は、これらの情報を有する更新指示を受け付ける。そして、更新指示送信部１１２は、更新指示受付部１１１が受け付けた更新指示を、更新指示により更新される差出人情報と対応付けられた差出人情報識別情報と対応付けて、送信する。例えば、更新指示と差出人情報識別情報とを、サーバ装置１３に送信する。また、差出人情報更新部１１３は、更新指示受付部１１１が受け付けた更新指示に応じて、差出人情報格納部１１０に格納されている差出人情報を更新する。例えば、更新指示が、差出人情報識別情報を有する場合、この差出人情報識別情報と一致する差出人情報識別情報を有する差出人情報を更新する。
【０１１８】
なお、更に、第一ユーザ端末１１の図示しない受付部等が第一のユーザ等から受け付けた指示に応じて、第一ユーザ端末１１の図示しない出力部等が、差出人情報格納部１１０に格納されている差出人情報を適宜読み出して、はがき等の郵送物や配送物に印刷したりしてもよい。
【０１１９】
次に、宛先管理システム１の第二ユーザ端末１２の動作の一例について図２のフローチャートを用いて説明する。
【０１２０】
（ステップＳ１０１）要求情報送信部１２４は、要求情報を送信するための予め指定されたタイミングになったか否かを判断する。タイミングになった場合、ステップＳ１０２に進み、タイミングになっていない場合、ステップＳ１１５に進む。
【０１２１】
（ステップＳ１０２）要求情報送信部１２４は、宛先情報格納部１２１に格納されている宛先情報、例えば、全ての宛先情報が有する差出人情報識別情報を取得する。
【０１２２】
（ステップＳ１０３）要求情報送信部１２４は、ステップＳ１０２で取得した差出人情報識別情報を有する要求情報を、サーバ装置１３に送信する。
【０１２３】
（ステップＳ１０４）更新指示受信部１２２は、サーバ装置１３から更新指示を受信したか否かを判断する。受信した場合、ステップＳ１０５に進み、受信していない場合、ステップＳ１０４に戻る。
【０１２４】
（ステップＳ１０５）更新部１２３は、カウンターｍの値に１を代入する。
【０１２５】
（ステップＳ１０６）更新部１２３は、ステップＳ１０４で受信した更新指示のうちのｍ番目の更新指示が有する差出人情報識別情報を取得する。
【０１２６】
（ステップＳ１０７）更新部１２３は、ステップＳ１０６で取得した差出人情報識別情報と一致する差出人情報識別情報を有する宛先情報を、宛先情報格納部１２１から検出する。
【０１２７】
（ステップＳ１０８）更新部１２３は、ステップＳ１０７で検出した宛先情報を、ｍ番目の更新指示に応じて更新する。例えば、更新部１２３は、検出した宛先情報の、ｍ番目の更新指示が有する更新内容を示す情報が示す差出人情報の更新箇所、例えば属性値に対応する更新箇所を、更新内容を示す情報が有する更新用のデータで更新する。例えば、更新部１２３は、検出した宛先情報を、図示しないメモリ等の記憶媒体に読み出して更新し、更新した宛先情報で宛先情報格納部１２１に格納されている更新前の宛先情報を上書きする。
【０１２８】
（ステップＳ１０９）更新関連情報出力部１２６は、更新内容に応じた更新関連情報を取得する。例えば、更新関連情報出力部１２６は、ｍ番目の更新指示から、更新内容を取得し、取得した更新内容と同じ更新内容と対応付けられた更新関連情報を取得する。
【０１２９】
（ステップＳ１１０）更新関連情報出力部１２６は、ステップＳ１０７で検出した宛先情報を示す情報を取得する。例えば、検出した宛先情報から、氏名等の情報を取得する。
【０１３０】
（ステップＳ１１１）更新関連情報出力部１２６は、ステップＳ１０９で取得した更新関連情報と、ステップＳ１１０で取得した宛先情報を示す情報とを対応付けて、図示しない記憶媒体に一時記憶する。
【０１３１】
（ステップＳ１１２）更新部１２３は、カウンターｍの値を１インクリメントする。
【０１３２】
（ステップＳ１１３）更新部１２３は、ステップＳ１０４で受信した更新指示にｍ番目の更新指示があるか否かを判断する。ある場合、ステップＳ１０６に戻り、ない場合、ステップＳ１１４に進む。
【０１３３】
（ステップＳ１１４）更新関連情報出力部１２６は、ステップＳ１１１で一時記憶した更新関連情報と宛先情報を示す情報との１以上の組を出力する。例えば、図示しないモニタ等に表示する。そして、ステップＳ１０１に戻る。
【０１３４】
（ステップＳ１１５）受付部１２７は、宛先情報格納部１２１に格納されている宛先情報を出力する操作を受け付けたか否かを判断する。受け付けた場合、ステップＳ１１６に進み、受け付けていない場合、ステップＳ１０１に戻る。
【０１３５】
（ステップＳ１１６）出力部１２８は、ステップＳ１１５で受け付けた操作に応じて、宛先情報を宛先情報格納部１２１から読み出して出力する。そして、ステップＳ１０１に戻る。ここでの出力は、例えば、表示であっても良いし、はがき等への印刷であっても良い。
【０１３６】
なお、図２のフローチャートにおいて、電源オフや処理終了の割り込みにより処理は終了する。
【０１３７】
次に、宛先管理システム１のサーバ装置１３の動作の一例について図３のフローチャートを用いて説明する。
【０１３８】
（ステップＳ２０１）サーバ受信部１３１は、第一ユーザ端末１１から更新指示を受信したか否かを判断する。受信した場合、ステップＳ２０２に進み、受信していない場合、ステップＳ２０３に進む。
【０１３９】
（ステップＳ２０２）更新指示蓄積部１３３は、ステップＳ２０１で受信した更新指示を、更新指示格納部１３２に蓄積する。そして、ステップＳ２０１に戻る。
【０１４０】
（ステップＳ２０３）要求情報受信部１３４は、要求情報を受信したか否かを判断する。受信した場合、ステップＳ２０４に進み、受信していない場合、ステップＳ２０１に戻る。ここで受信する要求情報は、一例として、宛先情報の差出人情報識別情報を有する要求情報であるとする。
【０１４１】
（ステップＳ２０４）サーバ送信部１３５は、カウンターｎの値を１インクリメントする。
【０１４２】
（ステップＳ２０５）サーバ送信部１３５は、更新指示格納部１３２に、要求情報が有する差出人情報識別情報のうちのｎ番目の差出人情報識別情報に対応する更新指示があるか否かを判断する。具体的には、ｎ番目の差出人情報識別情報と一致する差出人情報識別情報を有する更新指示があるか否かを検索等により判断する。ある場合、ステップＳ２０６に進み、ない場合、ステップＳ２０７に進む。
【０１４３】
（ステップＳ２０６）サーバ送信部１３５は、ステップＳ２０５で検出した更新指示を、更新指示格納部１３２から取得し、図示しない記憶媒体等に一時記憶する。
【０１４４】
（ステップＳ２０７）サーバ送信部１３５は、カウンターｎの値を１インクリメントする。
【０１４５】
（ステップＳ２０８）サーバ送信部１３５は、ステップＳ２０３で受信した要求情報が有する差出人情報識別情報にｎ番目の差出人情報識別情報があるか否かを判断する。ある場合、ステップＳ２０５に戻り、ない場合、ステップＳ２０９に進む。
【０１４６】
（ステップＳ２０９）サーバ送信部１３５は、ステップＳ２０６で蓄積した更新指示を要求情報の送信元である第二ユーザ端末１２に送信する。そして、ステップＳ２０１に戻る。
【０１４７】
なお、図３のフローチャートにおいて、電源オフや処理終了の割り込みにより処理は終了する。
【０１４８】
以下、本実施の形態における宛先管理システム１の具体的な動作について説明する。
【０１４９】
まず、第一のユーザであるユーザＡが、転居により住所が変わったため、第一ユーザ端末１１の差出人情報格納部１１０に格納されている自分の差出人情報を更新しようと考えたとする。そして、ユーザ自身の差出人情報を更新するために、第一ユーザ端末１１の図示しないモニタ等に表示されるインターフェース画面等を介して、更新したい差出人情報を指定して、更新したい属性の属性名である「住所」と、この「住所」についての更新後のデータ「東京都八王子市…」を入力する操作を行ったとすると、更新指示受付部１１１は、これらの情報を有する更新指示を受け付ける。具体的には、更新対象となる差出人情報に対応付けられた差出人情報識別情報である「１２３４５Ａ」と、更新箇所を示す情報「住所」、及び更新用のデータ「東京都八王子市…」を有する更新指示を受け付ける。この更新指示は、例えば、差出人情報識別情報「１２３４５Ａ」に対応する差出人情報の、「住所」という属性の属性値を、更新用のデータである「東京都八王子市…」で上書きする指示であるとする。また、更新指示送信部１１２は、更新指示受付部１１１が受け付けた更新指示を、インターネット等のネットワーク経由でサーバ装置１３に送信する。
【０１５０】
また、差出人情報更新部１１３は、上記で更新指示受付部１１１が受け付けた更新指示に従って、差出人情報格納部１１０に格納されている差出人情報識別情報「１２３４５Ａ」に対応する差出人情報の、「住所」という属性の属性値を、更新用のデータである「東京都八王子市…」で上書きすることで、差出人情報を更新する。
【０１５１】
サーバ装置１３のサーバ受信部１３１は、第一ユーザ端末１１から送信される上述した更新指示を受信する。更新指示蓄積部１３３は、サーバ受信部１３１が受信した更新指示を、更新指示格納部１３２に蓄積する。
【０１５２】
図４は、更新指示格納部１３２に格納されている更新指示を管理する更新指示管理情報である。更新指示管理情報は、「差出人ＩＤ」と、「更新箇所」と、「データ」という属性を有している。「差出人ＩＤ」は、差出人情報識別情報である。「更新箇所」は、更新箇所を示す情報であり、ここでは、差出人情報の属性名であるとする。「データ」は、更新用のデータである。ここでは、一のレコード（行）が一の更新指示であるとする。
【０１５３】
図４において、例えば、一番上のレコードが、上記において更新指示蓄積部１３３により蓄積された更新指示である。
【０１５４】
図５は、宛先情報格納部１２１に格納されている宛先情報を管理する宛先管理情報を示す図である。宛先管理情報は、「ＩＤ」、「差出人ＩＤ」、「氏名」、「住所」、「所属」、「役職」等の属性を有している。「ＩＤ」は、宛先情報のレコードを管理する識別情報である。「差出人ＩＤ」は差出人情報識別情報であり、図４の「差出人ＩＤ」に対応している。「氏名」はユーザの氏名、「住所」はユーザの住所、「所属」は、ユーザの所属であり、例えばユーザが勤務する企業名等である。「役職」はユーザの役職である。図５においては、一のレコード（行）が一の宛先情報であるとする。ここでは、説明を簡単にするために、宛先管理情報を構成する各属性の属性名として、差出人情報を構成する各属性の属性名と同じものが用いられているものとする。
【０１５５】
次に、第二のユーザが、第二ユーザ端末１２を起動したとする。例えば、予め、第二ユーザ端末１２の起動時が、要求情報を送信するタイミングに指定されていたとすると、要求情報送信部１２４は、第二ユーザ端末１２が起動した場合に、要求情報を送信するための予め指定されたタイミングになったと判断する。
【０１５６】
要求情報送信部１２４は、要求情報を送信するタイミングとなったため、宛先情報格納部１２１に格納されている宛先情報が有する差出人情報識別情報を取得する。具体的には、図５に示す宛先管理情報の各レコードから「差出人ＩＤ」の値を取得する。なお、要求情報送信部１２４は、宛先情報が宛先情報格納部１２１に蓄積される際等に、宛先情報格納部に格納されている各宛先情報が有する差出人情報識別情報のリスト等を予め取得して図示しない格納部等に蓄積しておくようにし、このリスト等を、読み出すようにしても良い。ここでは、差出人情報識別情報として、「１１０９８Ｓ」、「１２３４５Ａ」、「６９８４６Ａ」、「１２７７７Ａ」等が、図５の宛先管理情報から取得される。そして、要求情報送信部１２４は、取得した差出人情報識別情報を有する要求情報をサーバ装置１３に送信する。ここでは、要求情報は、更新情報の送信を指示する命令と、送信元である第二ユーザ端末１２を特定する情報、例えば、第二ユーザ端末１２のＩＰアドレス等都を更に含む要求情報を送信する。
【０１５７】
サーバ装置１３の要求情報受信部１３４は、第二ユーザ端末１２から要求情報を受信する。
【０１５８】
サーバ送信部１３５は、要求情報受信部１３４が受信した要求情報に含まれる一番目の差出人情報識別情報を取得し、更新指示格納部１３２に、この１番目の差出人情報識別情報と一致する差出人情報識別情報を有する更新指示があるか否かを判断する。例えば、一番目の差出人情報識別情報が「１１０９８Ｓ」であったとすると、図４に示した更新指示管理情報において、「差出人ＩＤ」の値が、「１１０９８Ｓ」と一致するレコードを検索する。ここでは、一致するレコードが検出されなかったため、この一番目の差出人情報識別情報については、対応する更新指示がないこととなる。
【０１５９】
次に、サーバ送信部１３５は、同様に、要求情報受信部１３４が受信した要求情報に含まれる二番目の差出人情報識別情報を取得し、更新指示格納部１３２に、この１番目の差出人情報識別情報と一致する差出人情報識別情報を有する更新指示があるか否かを判断する。例えば、二番目の差出人情報識別情報が「１２３４５Ａ」であったとすると、図４に示した更新指示管理情報の上から一番目のレコードが、「差出人ＩＤ」の値が、一致するレコードとして検出される。このため、このレコードに含まれる情報を更新指示として取得して、メモリ等の記憶媒体に一時記憶する。つまり、差出人情報識別情報が「１２３４５Ａ」、更新箇所を示す情報が「住所」、更新用のデータが「東京都八王子市…」である更新指示が取得される。
【０１６０】
同様の処理を、要求情報に含まれる他の差出人情報識別情報について行う。
【０１６１】
この処理を行った結果取得した更新指示が、上記で取得された差出人情報識別情報が「１２３４５Ａ」である更新指示だけであったとする。
【０１６２】
サーバ送信部１３５は、このようにして取得した更新指示を、要求情報の送信元の第二ユーザ端末１２に送信する。
【０１６３】
第二ユーザ端末１２の更新指示受信部１２２は、サーバ装置１３から送信される上述した更新指示を受信する。
【０１６４】
更新部１２３は、更新指示受信部１２２が受信した更新指示のうちの１番目の更新指示が有する差出人情報識別情報を取得する。ここでは、受信した更新指示は、差出人情報識別情報が「１２３４５Ａ」、更新箇所を示す情報が「住所」、更新用のデータが「東京都八王子市…」である更新指示が一つだけであるため、この更新指示の差出人情報識別情報である「１２３４５Ａ」を取得する。
【０１６５】
更新部１２３は、取得した差出人情報識別情報「１２３４５Ａ」と一致する差出人情報識別情報を有する宛先情報を、宛先情報格納部１２１から検出する。具体的には、図６に示した宛先管理情報において、「差出人ＩＤ」が「１２３４５Ａ」と一致するするレコードを検索する。ここでは、「ＩＤ」が「００３」であるレコードが検出される。このため、このレコードの情報を、更新指示受信部１２２が受信した一つ目の更新指示に応じて更新する。具体的には、この更新指示が有する更新箇所を示す情報は、「住所」であり、更新用のデータが「東京都八王子市…」であるため、上記で検出したレコードの、属性名が「住所」である属性値を、「東京都八王子市…」で上書きする処理を行う。つまり、図６に示した宛先管理情報において、「ＩＤ」が「００３」であるレコードの「住所」の属性値である「神奈川県横浜市…」を、更新用のデータである「東京都八王子市…」で上書きする。
【０１６６】
図６は、更新指示に応じて更新された宛先管理情報を示す図である。
【０１６７】
図７は、更新関連管理情報格納部１２５に格納されている更新関連管理情報を示す図である。更新関連管理情報は、「更新内容」と、「更新関連情報」という項目を有している。「更新内容」は更新指示の更新内容であり、ここでは、差出人情報を構成する情報の属性名が蓄積される。「更新関連情報」は、更新関連情報であり、ここではテキストデータであるとする。ここでは、各レコード（行）が、一の更新関連管理情報であるとする。
【０１６８】
次に、更新関連情報出力部１２６は、更新内容に応じた更新関連情報を取得する。更新関連情報出力部１２６は、上記で検出した一番目の更新指示から、更新内容として、更新箇所を示す情報を取得する。ここでは、「住所」を取得する。そして、図７に示した更新関連管理情報において、「更新内容」の値が、更新指示から取得した更新内容である「住所」と一致するレコードを検出し、検出したレコードの「更新関連情報」の属性値を取得する。ここでは、図７に示した更新関連管理情報の上から一行目のレコードの「更新内容」の属性値が「住所」であるため、このレコードの「更新関連情報」の属性値である「住所が変更されました。転居祝いの送付をご検討されてはいかがでしょうか。」を取得する。
【０１６９】
また、更新関連情報出力部１２６は、上記で更新部１２３が更新指示に応じて検出した「ＩＤ」が「００３」である宛先情報を示す情報を取得する。ここでは、一例として、「ＩＤ」が「００３」である宛先情報の「氏名」の属性値である「鈴木Ｔ司」と、「ＩＤ」の属性値である「００３」とを、宛先情報を示す情報として取得する。そして、上記で取得した更新関連情報と、この宛先情報を示す情報とを対応付けて図示しない記憶媒体に一時記憶する。
【０１７０】
更新部１２３及び更新関連情報出力部１２６は、同様の処理を、更新指示受信部１２２が受信した二番目以降の更新指示についても繰り返し行う。ここでは、二番目以降の更新指示を受信していないため、処理は繰り返し行われない。
【０１７１】
更新関連情報出力部１２６は、上記で図示しない記憶媒体に一時記憶した更新関連情報と、宛先情報を示す情報とを第二ユーザ端末１２の図示しないモニタ等に表示する。
【０１７２】
図８は、第二ユーザ端末１２による更新関連情報等の表示例を示す図である。
【０１７３】
このようにして、更新指示に応じて行われた更新内容に応じて、更新に関連する情報を第二のユーザに対して出力することができる。
【０１７４】
また、第二のユーザが、宛先情報を年賀状等のはがきに印刷するための操作を行ったとすると、受付部１２７は、宛先情報を印刷する指示を受け付ける。そして、出力部１２８は、この印刷する指示に従って、順次宛先情報格納部１２１から宛先情報を順次読み出し、テンプレート等に配置して、はがき等に印刷する。
【０１７５】
以上、本実施の形態によれば、第一ユーザ端末１１が送信する差出人情報についての更新指示に応じて、第二ユーザ端末１２が宛先情報を更新することにより、差出人に関する情報の更新を、適切に宛先に関する情報に反映させることができる。具体的には、第一ユーザ端末の差出人情報の更新を、第二ユーザ端末の宛先情報に反映させることができる。
【０１７６】
また、識別人情報識別情報を用いることにより、更新指示により更新される差出人情報に対応する宛先情報を正確に検出することができ、差出人に関する情報の更新を、適切な宛先に関する情報に反映させることができる。
【０１７７】
なお、上記においては、サーバ装置１３を介して、第一ユーザ端末１１と第二ユーザ端末１２間で更新指示の送受信を行う場合を例に挙げて説明したが、本発明においては、第一ユーザ端末１１と第二ユーザ端末１２間で、サーバ装置１３を介さずに、更新指示の送受信を行うようにしてもよい。
【０１７８】
図９は、本実施の形態の宛先管理システムの変形例を示すブロック図であり、第一ユーザ端末１１と第二ユーザ端末１２とが、サーバ装置１３を介さずに、更新指示の送受信を行うようにした宛先管理システム２の一例を示す図である。なお、第一ユーザ端末１１と第二ユーザ端末１２とがそれぞれ複数であってよいことはいうまでもない。
【０１７９】
この宛先管理システム２においては、例えば、第一ユーザ端末１１の図示しない格納部に、この第一ユーザ端末１１の差出人情報格納部１１０に格納されている差出人情報に対応する宛先情報が宛先情報格納部１２１に格納されている第二ユーザ端末１２の第二ユーザ端末識別情報をあらかじめ格納しておく。そして、更新指示送信部１１２が更新指示を送信する際に、この格納部に格納されている第二ユーザ端末識別情報が示す第二ユーザ端末１２に更新指示を送信するようにしてもよい。
【０１８０】
また、第二ユーザ端末１２の宛先情報格納部１２１に格納されている宛先情報に対して、この宛先に対応する差出人情報識別情報を対応づけて格納しておくようにし、第二ユーザ端末１２の図示しない要求情報送信部が、あらかじめ指定されたタイミングに、この宛先情報に対応づけられた差出人情報識別情報が示す差出人が利用する第一ユーザ端末１１に対して、更新指示の送信を要求する情報を送信するようにする。そして、第一ユーザ端末１１の図示しない要求情報受信部が、この更新指示の送信を要求する情報を受信した場合に、未送信の最新の更新指示があれば、この更新指示を送信するようにしてもよい。なお、この場合、第一ユーザ端末１１は、更新指示の送信を要求する情報を受信するまでは、更新指示を、図示しない格納部等に蓄積しておくようにすればよい。
【０１８１】
また、上記実施の形態においては、本発明においては、第一ユーザ端末１１は、さらに、第二ユーザ端末１２と同様の構成を備えていても良い。また、第二ユーザ端末１２も、第一ユーザ端末１１と同様の構成を備えていても良い。つまり、第一ユーザ端末１１および第二ユーザ端末１２として、それぞれ、第一ユーザ端末１１の構成と、第二ユーザ端末１２の構成との両方の構成を備えた端末装置をそれぞれ用いるようにしてもよい。
【０１８２】
図１０は、第一ユーザ端末１１および第二ユーザ端末１２として利用可能な、第一ユーザ端末１１の構成と、第二ユーザ端末１２の構成との両方の構成を備えた端末装置２０の一例を示す図である。
【０１８３】
なお、端末装置２０においては、例えば、端末装置２０の更新指示送信部１２が送信する更新指示を、同じ端末装置２０が有している更新指示受信部が受信しないようにする。つまり、一の端末装置２０が送信する更新指示は、異なる端末装置２０に送信されるようにする。同様に、一の端末装置２０の更新指示受信部１２２が受信する更新指示は、例えば、同じ端末装置２０が送信した更新指示とは異なる更新指示となるようにする。
【０１８４】
また、例えば端末装置２０の出力部１２８が一のはがき等の郵送物や配送物に差出人情報を出力（例えば印刷）する際に、同じ郵送物や配送物に、宛先情報格納部１２１に格納されている宛先情報も出力するようにして良い。つまり、端末装置２０の出力部１２８が、宛先情報格納部１２１に格納されている一の宛先情報と、差出人情報格納部１１０に格納されている差出人情報との一以上の組を、はがきに出力するようにしてもよい。はがきに出力とは、はがきに印刷することであってもよいし、電子的なはがきのデータに、差出人情報を配置することであってもよい。例えば、出力部１２８は、図示しない格納部等に予め格納されているテンプレート等に、１以上の宛先情報と差出人情報とをそれぞれ配置して得られたデータを、はがきや封筒の宛名面に印刷する。このテンプレート情報は、例えば、はがきの印刷面に対応した宛名情報が配置される領域の情報と、差出人情報が配置される領域の情報とを有するものであることが好ましい。また、このテンプレート情報は、宛名情報を配置する領域の情報に加えて、はがきに印刷する画像や文字列の情報を有していてもよい。このテンプレート情報は、例えば、年賀状や、暑中見舞い、喪中や寒中見舞い等の慶弔のはがきのテンプレート情報である。
【０１８５】
なお、出力部１２８による出力が、はがきへの宛名情報や差出人情報の印刷である場合、この端末装置２０は、はがきに関する情報を管理するはがき管理装置や、はがきに宛名等を出力（例えば印刷）するはがき出力装置等と考えてもよい。特に、はがきが年賀状である場合、年賀状出力装置と考えてもよい。
【０１８６】
なお、上記各実施の形態において、各処理（各機能）は、単一の装置（システム）によって集中処理されることによって実現されてもよく、あるいは、複数の装置によって分散処理されることによって実現されてもよい。
【０１８７】
また、上記各実施の形態において、一の装置に存在する２以上の通信手段（更新指示受信部や要求情報送信部など）は、物理的に一の媒体で実現されても良いことは言うまでも
【０１８８】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１８９】
なお、上記各実施の形態における第二ユーザ端末を実現するソフトウェアは、以下のようなプログラムである。つまり、このプログラムは、宛先に関する情報である１以上の宛先情報が格納される宛先情報格納部にアクセス可能なコンピュータを、差出人に関する情報である差出人情報を更新する指示である更新指示を受信する更新指示受信部と、更新指示受信部が受信した更新指示に応じて、宛先情報格納部に格納されている宛先情報を更新する更新部として機能させるためのプログラムである。
【０１９０】
また、上記実施の形態における第一ユーザ端末と第二ユーザ端末との構成を備えた端末装置を実現するソフトウェアは、以下のようなプログラムである。つまり、このプログラムは、差出人に関する情報である差出人情報が格納される差出人情報格納部と、宛先に関する情報である１以上の宛先情報が格納される宛先情報格納部と、にアクセス可能なコンピュータを、差出人情報を更新する指示である更新指示を受け付ける更新指示受付部と、前記更新指示受付部が受け付けた更新指示を送信する更新指示送信部と、前記更新指示受付部が受け付けた更新指示に応じて、前記差出人情報格納部に格納されている差出人情報を更新する差出人情報更新部と、更新指示を受信する更新指示受信部と、前記更新指示受信部が受信した更新指示に応じて、前記宛先情報格納部に格納されている宛先情報を更新する更新部と、前記宛先情報格納部に格納されている一の宛先情報と、前記差出人情報格納部に格納されている差出人情報との一以上の組を、はがきに出力する出力部として機能させるためのプログラムである。
【０１９１】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１９２】
また、このプログラムを実行するコンピュータは、単数であってもよく、複数であってもよい。すなわち、集中処理を行ってもよく、あるいは分散処理を行ってもよい。
【０１９３】
図１１は、上記プログラムを実行して、上記実施の形態による第一ユーザ端末、第二ユーザ端末、及びサーバ装置を実現するコンピュータの外観の一例を示す模式図である。上記実施の形態は、コンピュータハードウェア及びその上で実行されるコンピュータプログラムによって実現されうる。
【０１９４】
図１１において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１９５】
図１２は、コンピュータシステム９００の内部構成を示す図である。図１２において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１９６】
コンピュータシステム９００に、上記実施の形態による第一ユーザ端末、第二ユーザ端末、及びサーバ装置等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１９７】
プログラムは、コンピュータ９０１に、上記実施の形態による第一ユーザ端末、第二ユーザ端末、及びサーバ装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１９８】
本発明は、以上の実施の形態に限定されることなく、種々の変更が可能であり、それらも本発明の範囲内に包含されるものであることは言うまでもない。
【産業上の利用可能性】
【０１９９】
以上のように、本発明にかかる宛先管理システム等は、宛先の情報を管理するシステム等として適しており、特に、宛先の情報と差出人の情報とを印刷することが可能な年賀状印刷システム等として有用である。
【符号の説明】
【０２００】
１  宛先管理システム
１１  第一ユーザ端末
１２  第二ユーザ端末
１３  サーバ装置
１１０  差出人情報格納部
１１１  更新指示受付部
１１２  更新指示送信部
１１３  差出人情報更新部
１２１  宛先情報格納部
１２２  更新指示受信部
１２３  更新部
１２４  要求情報送信部
１２５  更新関連管理情報格納部
１２６  更新関連情報出力部
１２７  受付部
１２８  出力部
１３１  サーバ受信部
１３２  更新指示格納部
１３３  更新指示蓄積部
１３４  要求情報受信部
１３５  サーバ送信部
【図１】
2015069260.tif 000003
【図２】
2015069260.tif 000004
【図３】
2015069260.tif 000005
【図４】
2015069260.tif 000006
【図５】
2015069260.tif 000007
【図６】
2015069260.tif 000008
【図７】
2015069260.tif 000009
【図８】
2015069260.tif 000010
【図９】
2015069260.tif 000011
【図１０】
2015069260.tif 000012
【図１１】
2015069260.tif 000013
【図１２】
2015069260.tif 000014